(57)【要約】【課題】給電路の終端に接続される給電用接続装置とトロリー線の良好な電気接続を確保した絶縁トロリーシステムを提供する。【解決手段】給電用接続装置２は、トロリー線１の導体１２が差し込まれる差込部２２ａを両端に有する筒状であって給電線３が電気的に接続される導体接続部２２と、導体接続部２２内に配置され差込部２２ａに差し込まれた導体１２を導体接続部２２の内面に押圧する押圧部材２３とを具備する。押圧部材２３は、両端の差込部２２ａにそれぞれ差し込まれた２つの導体１２，１２に対して直接当接する当接部材２３ａと、当接部材２３ａに対して導体１２と反対側に配置され導体１２側への弾性力を当接部材２３ａに与える弾性部材２３ｂとを有する。差込部材４は、導体１２が差し込まれない差込部２２ａに差し込まれる差込片４２を有している。【選択図】図１
2014148220.tif 000002
【特許請求の範囲】
【請求項１】
端部の導体を露出させた複数のトロリー線と、前記トロリー線が電気的に接続され且つ前記トロリー線に対して給電を行う複数の給電用接続装置とを備え、隣接する前記トロリー線の間を前記給電用接続装置によって接続することで給電路を形成する絶縁トロリーシステムであって、
前記給電路の終端に接続される前記給電用接続装置に取り付けられる差込部材を備え、
前記給電用接続装置は、前記導体が差し込まれる差込部を両端に有する筒状であって給電線が電気的に接続される導体接続部と、前記導体接続部内に配置され前記差込部に差し込まれた前記導体を前記導体接続部の内面に押圧する押圧部材とを具備し、
前記押圧部材は、両端の前記差込部にそれぞれ差し込まれた２つの前記導体に対して直接当接する当接部材と、前記当接部材に対して前記導体と反対側に配置され前記導体側への弾性力を前記当接部材に与える弾性部材とを有し、
前記差込部材は、前記導体が差し込まれない前記差込部に差し込まれる差込片を有していることを特徴とする絶縁トロリーシステム。
【発明の詳細な説明】
【技術分野】
【０００１】
本発明は、絶縁トロリーシステムに関するものである。
【背景技術】
【０００２】
従来より、トロリー線の端部を相互に接続し且つトロリー線に対して給電を行う給電用接続装置が提供されている（例えば特許文献１参照）。この給電用接続装置は、絶縁性の接続装置本体を備え、接続装置本体の両端には、トロリー線が差し込まれる差込部がそれぞれ設けられている。
【０００３】
また、接続装置本体の内部には、トロリー線の導体と給電線の導体とを相互に接続する導体接続具が収容されており、この導体接続具は、導電性の導体継手と、導体継手内に配置される加圧ばね及びガイド板と、給電線を導体継手に接続する圧着端子とで構成される。
【０００４】
この給電用接続装置では、接続装置本体の両差込部にトロリー線をそれぞれ差し込むことで、導体継手のリップ部とガイド板との間に両トロリー線の導体がそれぞれ差し込まれ、両者の間で加圧ばねの加圧力により両導体が挟圧される。これにより、両トロリー線の導体が相互に接続される。
【先行技術文献】
【特許文献】
【０００５】
【特許文献１】実公平６−３５７６０号公報
【発明の概要】
【発明が解決しようとする課題】
【０００６】
上述の特許文献１に示した給電用接続装置は、トロリー線を両側から差し込むことを想定したものであるが、この給電用接続装置を給電路の終端に用いた場合には、片側の差込部にのみトロリー線が差し込まれることになる。そしてこの場合、トロリー線の導体に対してガイド板が斜めに片当たりするため、給電用接続装置とトロリー線の電気接続が不十分となる可能性があった。
【０００７】
本発明は上記問題点に鑑みて為されたものであり、その目的とするところは、給電路の終端に接続される給電用接続装置とトロリー線の良好な電気接続を確保した絶縁トロリーシステムを提供することにある。
【課題を解決するための手段】
【０００８】
本発明の絶縁トロリーシステムは、端部の導体を露出させた複数のトロリー線と、トロリー線が電気的に接続され且つトロリー線に対して給電を行う複数の給電用接続装置とを備え、隣接するトロリー線の間を給電用接続装置によって接続することで給電路を形成する。また、この絶縁トロリーシステムは、給電路の終端に接続される給電用接続装置に取り付けられる差込部材を備える。給電用接続装置は、導体が差し込まれる差込部を両端に有する筒状であって給電線が電気的に接続される導体接続部と、導体接続部内に配置され差込部に差し込まれた導体を導体接続部の内面に押圧する押圧部材とを具備する。押圧部材は、両端の差込部にそれぞれ差し込まれた２つの導体に対して直接当接する当接部材と、当接部材に対して導体と反対側に配置され導体側への弾性力を当接部材に与える弾性部材とを有する。そして、差込部材は、導体が差し込まれない差込部に差し込まれる差込片を有している。
【発明の効果】
【０００９】
給電路の終端に接続される給電用接続装置においてトロリー線の導体が差し込まれない差込部に差込部材の差込片を差し込むことで、差込部に差し込まれたトロリー線の導体に対して当接部材が片当たりするのを抑えることができ、その結果、給電路の終端に接続される給電用接続装置とトロリー線の良好な電気接続を確保した絶縁トロリーシステムを提供することができるという効果がある。
【図面の簡単な説明】
【００１０】
【図１】（ａ）は本実施形態の絶縁トロリーシステムに用いられる給電用接続装置に対して片側からトロリー線を接続した状態を示す一部破断せる断面図、（ｂ）は同上に用いられる給電用接続装置に対してトロリー線及び差込部材を接続した状態を示す一部破断せる断面図、（ｃ）はＡ−Ａ断面の拡大図である。
【図２】（ａ）は同上に用いられる給電用接続装置に対して片側からトロリー線を接続した状態を示す斜視図、（ｂ）はＢ部拡大図である。
【図３】同上に用いられる給電用接続装置に対して差込部材を接続する前の斜視図である。
【図４】（ａ）は同上に用いられる給電用接続装置に対して差込部材を接続した後の斜視図、（ｂ）はＣ部拡大図である。
【発明を実施するための形態】
【００１１】
以下に、絶縁トロリーシステムの実施形態について図１〜図４を参照して説明する。なお、以下の説明では特に断りがない限り、図３中の矢印ａ−ｂ方向を前後方向、矢印ｃ−ｄ方向を上下方向、矢印ｅ−ｆ方向を左右方向と規定して以下の説明を行う。
【００１２】
本実施形態の絶縁トロリーシステムは、例えばホイストやクレーンなどの移動機器に対して電力を供給するものであり、複数のトロリー線１と、トロリー線１が電気的に接続され且つトロリー線１に対して給電を行う複数の給電用接続装置２とを備える。そして、この絶縁トロリーシステムでは、隣接するトロリー線１の間を給電用接続装置２によって接続することで給電路が形成される。
【００１３】
トロリー線１は、図２（ａ）、図３及び図４（ａ）に示すように、絶縁シース１１と、導体１２とを備える。絶縁シース１１は、左右方向に長い長尺状で且つ側面視の形状がＵ字状に形成されており、導体１２が配置される溝１１ａが全長に亘って設けられている。導体１２は、図１（ｃ）に示すように、側面視の形状がＶ字状であって、上下方向（図１（ｃ）中の左右方向）における両端にはＶ字状の溝１２ａがそれぞれ設けられている。この導体１２は、前面側（図１（ｃ）中の下側）を外部に露出させた状態で絶縁シース１１の溝１１ａ内に保持されており、移動機器側に設けられた集電子（図示せず）を導体１２の露出部分に摺動させることで移動機器に電力が供給される。
【００１４】
給電用接続装置２は、図１（ａ）〜図１（ｃ）に示すように、接続装置本体２１と、導体接続部２２と、押圧部材２３と、リベット２４とを備える。
【００１５】
接続装置本体２１は、絶縁性材料（例えば合成樹脂など）からなり、図２（ａ）、図３及び図４（ａ）に示すように、左右方向に長い長尺状で且つ側面視の形状がＵ字状に形成されており、トロリー線１が挿通される溝２１ａが前面側で且つ全長に亘って設けられている。また、接続装置本体２１の内部には、導体接続部２２、押圧部材２３及びリベット２４が収容されている。さらに、接続装置本体２１の左右方向における一端側（図１（ａ）中の右側）には、給電線３が差し込まれる差込部２１ｂが設けられている。また、接続装置本体２１の左右方向における他端部（図１（ａ）中の左端部）には、嵌合穴２１ｃが設けられており、後述する取付板５の嵌合片５１を嵌合穴２１ｃに嵌合させることで接続装置本体２１が取付板５に取り付けられる。
【００１６】
導体接続部２２は、導電性材料（例えば銅など）により左右方向に長い筒状に形成されており、左右方向における両端には、トロリー線１の導体１２が差し込まれる差込部２２ａがそれぞれ設けられている。また、導体接続部２２の後面側（図１（ａ）中の上側）には、給電線３の導体３１に固定された圧着端子３２がリベット２４によりかしめ固定され、これにより給電線３の導体３１と導体接続部２２とが電気的に接続される。さらに、導体接続部２２の前面側には開口部２２ｂが全長に亘って設けられており、差込部２２ａに導体１２を差し込んだ状態では、図１（ｃ）に示すように、開口部２２ｂの開口端縁が導体１２の各溝１２ａにそれぞれ嵌まり込む。そして、この状態では、後述する弾性部材２３ｂからの弾性力によって導体１２が導体接続部２２に弾接し、導体１２と導体接続部２２とが電気的に接続される。また、この状態では、導体１２の前面側（図１（ｃ）中の下側）が外部に露出している。
【００１７】
押圧部材２３は、図１（ａ）〜図１（ｃ）に示すように、当接部材２３ａと、弾性部材２３ｂとを備える。当接部材２３ａは、左右方向に長い矩形板状であって、左右方向における両端部が後面側にそれぞれ曲げられている。この当接部材２３ａの各曲げ部は、導体１２が差込部２２ａに差し込まれるときの誘導部となるため、滑らかな曲面からなる湾曲部であるのが好ましい。弾性部材２３ｂは、左右方向に長い矩形の板ばねからなり、左右方向において中央部から両端側にいくほど斜め前方に傾斜するＶ字状となっている。この弾性部材２３ｂは、当接部材２３ａに対して導体１２と反対側（後面側）に配置され、当接部材２３ａに対して前面側（導体１２側）への弾性力を与える。
【００１８】
上述の給電用接続装置２は、図２（ａ）、図３及び図４（ａ）に示すように、左右方向に長い矩形板状に形成された取付板５の前面において上下方向に並べて取り付けられる。この取付板５の左右方向における両端側には、取付板５を被取付部（図示せず）に取り付けるための取付ねじ（図示せず）が挿通される挿通穴５２が上下方向に沿って複数（図２（ａ）では６個）設けられている（図２（ａ）では片側のみ図示）。また、取付板５において挿通穴５２の内側には、取付板５の一部を切り起こすことで形成された嵌合片５１が上下方向に沿って複数（図２（ａ）では７個）設けられている。そして、取付板５の前面に給電用接続装置２を載置し、両嵌合片５１をそれぞれ嵌合穴２１ｃに嵌合させることで給電用接続装置２が取付板５に取り付けられる。
【００１９】
次に、トロリー線１を給電用接続装置２に接続する手順について説明する。給電用接続装置２の導体接続部２２に設けられた差込部２２ａにトロリー線１の導体１２を差し込んでいくと、導体１２の先端部が当接部材２３ａの曲げ部に当接し、さらに導体１２を差し込んでいくと、当接部材２３ａが弾性部材２３ｂの弾性力に抗って後面側に押圧される。そして、導体１２を所定位置まで差し込んだ状態では、図１（ａ）に示すように、当接部材２３ａが前後方向（図１（ａ）中の上下方向）において斜めに傾斜し、導体１２に対して片当たりする。つまり、本実施形態の給電用接続装置２は、左右方向における両側からトロリー線１を差し込むことを想定したものであり、図１（ａ）に示すように、導体１２に対して当接部材２３ａが片当たりした状態では、導体１２と当接部材２３ａの接触面積が小さくなり、給電用接続装置２とトロリー線１の電気接続が不十分となる可能性がある。
【００２０】
給電路の終端に接続される給電用接続装置２では、トロリー線１が片側からしか接続されないため、トロリー線１の導体１２に対する当接部材２３ａの片当たりを抑える必要がある。そこで、本実施形態では、トロリー線１の導体１２が差し込まれない差込部２２ａに後述する差込部材４の差込片４２を差し込むことで、当接部材２３ａによる片当たりを抑えている。以下、具体的に説明する。
【００２１】
差込部材４は、絶縁性材料（例えば合成樹脂など）により左右方向に長い直方体状に形成された本体部４１を有し、本体部４１の先端側（図３中の右側）には、導体接続部２２の差込部２２ａに差し込まれる差込片４２が一体に設けられている。この差込片４２は、本体部４１よりも上下方向の寸法が小さく設定されており、上下方向における両側にはＶ字状の溝４２ａ（図３では片側のみ図示）がそれぞれ設けられている。そして、差込部材４の差込片４２を導体接続部２２の差込部２２ａに差し込んだ状態では、導体接続部２２の開口部２２ｂの開口端縁が差込片４２の各溝４２ａにそれぞれ嵌まり込む。
【００２２】
図２及び図３に示すように、導体接続部２２の一方（図３中の左側）の差込部２２ａに差込部材４の差込片４２が差し込まれていない状態では、図１（ａ）に示すように、当接部材２３ａが前後方向において斜めに傾斜し、導体１２に対して片当たりする。これに対して、図４に示すように、差込部２２ａに差込部材４の差込片４２が差し込まれた状態では、図１（ｂ）に示すように、差込片４２によって当接部材２３ａが後面側（図１（ｂ）中の上側）に押圧され、これにより導体１２に対して当接部材２３ａが片当たりするのを抑えることができる。その結果、給電路の終端に接続される給電用接続装置２と、この給電用接続装置２に接続されるトロリー線１の良好な電気接続を確保することができる。
【００２３】
本実施形態によれば、給電路の終端に接続される給電用接続装置２においてトロリー線１の導体１２が差し込まれない差込部２２ａに差込部材４の差込片４２を差し込むことで、差込部２２ａに差し込まれたトロリー線１の導体１２に対して当接部材２３ａが片当たりするのを抑えることができる。これにより、導体１２と当接部材２３ａの接触面積を大きくすることができ、その結果、給電路の終端に接続される給電用接続装置２とトロリー線１の良好な電気接続を確保した絶縁トロリーシステムを提供することができる。
【００２４】
なお、本実施形態では、トロリー線１の導体１２の形状がＶ字形状の場合を例に説明したが、導体１２の形状はＶ字形状に限定されるものではなく、例えば平板形状であってもいいし、それ以外の形状であってもよい。
【符号の説明】
【００２５】
１  トロリー線
２  給電用接続装置
３  給電線
４  差込部材
１２  導体
２２  導体接続部
２２ａ  差込部
２３  押圧部材
２３ａ  当接部材
２３ｂ  弾性部材
４２  差込片
【図１】
2014148220.tif 000003
【図２】
2014148220.tif 000004
【図３】
2014148220.tif 000005
【図４】
2014148220.tif 000006